(57)【要約】清掃面（１３）及び前記清掃面（１３）とは反対側の面を有する清掃部（１０）と、把持部（１６）を設けた支持アーム（１１）と、前記反対側の面に前記支持アーム（１１）を軸支するための軸支手段（１２）とを有する清掃用具（９）において、前記清掃部（１０）の清掃面（１３）は、粘着剤面（１７）と清掃布面（１８）からなっており、粘着剤面（１７）と清掃布面（１８）は被清掃面に個別に面当接可能であり、前記把持部（１６）の動きを制止するためのストッパー（１９）が前記軸支手段（１２）に設けられており、前記支持アーム（１１）を前記軸支手段（１２）を設けた面に対し所定角度範囲内で傾斜させた場合には前記清掃布面（１８）が被清掃面に面当接することができ、前記支持アーム（１１）を前記軸支手段（１２）を設けた面に対して所定角度以上に傾斜させた場合には前記粘着剤面（１７）が被清掃面に面当接することができる。
2004527269.tif 000002
【特許請求の範囲】
【請求項１】
清掃面を有する清掃部と、把持部を設けた支持アームと、前記清掃部の清掃面とは反対側の面に前記支持アームを軸支するための軸支手段とを有する清掃用具であって、前記清掃部の清掃面が粘着剤面と清掃布面を含み、前記粘着剤面と清掃布面が被清掃面に個別に面当接可能であり、前記把持部の動きを制止するためのストッパーが前記軸支手段に設けられており、前記支持アームを前記軸支手段を設けた面に対し所定角度範囲内で傾斜させた場合には前記清掃布面が被清掃面に面当接することができ、前記支持アームを前記軸支手段を設けた面に対して所定角度以上に傾斜させた場合には前記粘着剤面が被清掃面に面当接することができることを特徴とする清掃用具。
【請求項２】
前記粘着剤面と清掃布面が取り替え可能であることを特徴とする、請求項１記載の清掃用具。
【請求項３】
前記粘着剤面と清掃布面が個別に取り替え可能であることを特徴とする、請求項１記載の清掃用具。
【請求項４】
粘着剤面と、これに隣接する清掃布面を含む清掃面であって、この清掃面はその背面に配置された粘着剤層によって清掃用具の可撓性部材に取り付け可能である清掃面。
【請求項５】
前記清掃布面が清掃面の主要部であり、粘着剤面が清掃表面の一部である、請求項４記載の清掃面。
【請求項６】
請求項１記載の清掃用具に用いるために取り付けられる、粘着剤面と、これに隣接する清掃布面を含む清掃面。
【発明の詳細な説明】
【０００１】
技術分野
本発明は、建物内部等のフローリング、プラスチックタイル、畳等の床面や、家具の表面等の被清掃面を清掃するための清掃用具に関する。特に、本発明は、従来の清掃用具では除去することが困難であった，一定以上の大きさを有する埃、塵、砂等を除去することのできる清掃用具に関する。
【０００２】
背景技術
従来の掃除用具の一例を図１に示す。この清掃用具１は、保持板２の表面に巻きつけられ、清掃面３の反対面４にビス等の固定具５により不織布等の清掃布６が固定されている。保持板２の面４には、支持アーム７が、保持板２に対して回転可能に支持する軸支手段８を介して取り付けられており、支持アーム７の角度が変化しても清掃布６の清掃面３が常に被清掃面に面当接することになる。そして、支持アーム７を前後左右に動かすことにより、被清掃面上の埃、塵等が清掃布６の繊維間に取り込まれ、除去される。
【０００３】
ところが、このような従来の清掃用具では、清掃布の繊維間に取り込むことのできる埃、塵等の大きさに制限があり、一定以上の大きさを有する埃、塵や砂等を被清掃面から除去することができなかった。本発明は、このような問題を解決するためになされたものであり、小さな埃や塵のみならず、一定以上の大きさ有する埃、塵や砂等も被清掃面から確実に除去することができる清掃用具を提供することを目的とする。
【０００４】
発明の概要
本発明によれば、清掃面を有する清掃部と、把持部を設けた支持アームと、前記清掃部の清掃面とは反対側の面に前記支持アームを軸支するための軸支手段とを有する清掃用具において、前記清掃部の清掃面を粘着剤面と清掃布面から構成し、前記粘着剤面と清掃布面が被清掃面に個別に面当接可能にし、前記把持部の動きを制止するためのストッパーを前記軸支手段に設け、前記支持アームを前記軸支手段を設けた面に対し所定角度範囲内に傾斜させた場合には前記清掃布面が被清掃面に面当接することができ、前記支持アームをこの軸支手段を設けた面に対し所定角度以上に傾斜させた場合には前記粘着剤面が被清掃面に面当接することができるようにしている。
【０００５】
本発明の清掃用具は、前記清掃部の清掃面を粘着剤面と清掃布面から構成しており、通常は清掃布面を被清掃面に面当接させて使用し、この清掃布により捕捉できない大きなごみを捕捉しようとするときのみ、粘着剤面を被清掃面に面当接させて行う。この清掃布面と粘着剤面の切り替えは、支持アームを、軸支手段を設けた面に対して所定の角度以上に傾斜させることにより容易に行うことができる。
【０００６】
発明の詳細な説明
以下、本発明を図面を参照して説明する。図２は、本発明の清掃用具の一態様を示す側面図である。図２に示す清掃用具９は、清掃面１３を有する清掃部１０と、把持部１６を設けた支持アーム１１と、前記清掃部１０の清掃面１３とは反対側の面に前記支持アームを軸支するための軸支手段１２とを有する。前記清掃部１０は、保持板１４に弾性体１５が嵌合もしくは接着等によって固着されたものであり、この弾性体１５の底面に清掃面１３が設けられている。そしてこの清掃面１３は、粘着剤面１７と清掃布面１８からなっており、前記軸支手段１２には、前記把持部１６の動きを制止するためのストッパー１９が設けられている。
【０００７】
前記保持板１４は、例えばＡＢＳ樹脂等の硬質プラスチックより形成され、前記弾性体１５は、例えばゴム、発泡ウレタン等の弾性材料より形成されている。清掃布１８としては、従来より掃除用具に用いられている不織布に加え、雑巾等の織布及び編み物も用いることができる。粘着剤面１７としては、一定以上の大きさを有する埃等を粘着可能であればよく、例えば、粘着剤を塗布したり、粘着テープを貼り付けることによって形成される。これらの清掃布及び粘着剤面は、取り替え可能であることが好ましく、また清掃布と粘着剤面を別個に取り替え可能であることがさらに好ましい。
【０００８】
支持アーム１１は、軸支手段１２によって清掃部１０に連結されている。そしてこの支持アーム１１の動きは、軸支手段１２に設けられているストッパー１９により、この軸支手段を設けた面から所定の角度θ内に制限されている。すなわち、支持アームは、その角度がこのθの範囲内では、自由に可動であり、どの角度においても清掃部１０は被清掃面２０に対して平行になり、清掃布面１８が被清掃面２０と面当接することになる。
【０００９】
支持アーム１１は、角度θの範囲内では自由に傾斜することができるが、この角度θを超えて傾斜させようとすると、ストッパーの存在により支持アームの動きが制止され、角度θ以上に傾斜させることができない。このストッパー１９の制止作用に反してさらに支持アーム１１を傾斜させると、図３に示すように、清掃部１０が支持アーム１１の傾斜に応じて傾斜し、その結果、清掃布面１８が被清掃面２０から離れ、粘着剤面１７が被清掃面２０と面当接することになる。
【００１０】
上記のように、清掃布面１８では、細かな埃等を繊維間に捕捉して除去することができるが、一定以上の大きさを有するごみは、この清掃布面１８では捕捉することができない。そこで、通常は清掃布面１８を使用し、この清掃布面１８により集められた大きなごみを捕捉しようとする場合には、支持アームを傾斜させることにより、粘着剤面１７を被清掃面２０に面当接させて、この大きなごみを粘着剤面に付着させて除去することができる。
【００１１】
この清掃布面１８と粘着剤面１７との切り替えは、単に支持アームの傾斜角度を変えることにより、清掃作業中において容易に行うことができる。また、清掃布面１８を被清掃面に面当接させている間は、粘着剤面は被清掃面と面当接していないため、清掃布面は自由に被清掃面上を摺接することができ、その動きが妨げられることがない。
【００１２】
この清掃布面と粘着剤面は、例えば、図４に示すように、清掃部１０に保持されたときに、弾性体１５の底面の所定位置に粘着剤面と清掃布面が配置されるように、不織布２１の所定位置に粘着剤２２を塗布した一体構成とし、清掃部に固定することによって形成してもよい。このような構成とすることにより、粘着剤面と清掃布面は取り替え可能となる。この粘着剤部２２は、剥離可能な保護シート２３で覆われてもよく、覆われている場合には使用の際にこの保護シートを剥がすことにより、粘着剤面が形成される。また、この粘着剤を塗布した不織布等を積層構造とすることにより、粘着・清掃効果が低下した際に、最外層を剥がすことによって清掃効果を維持することができる。
【００１３】
また、図５に示すように、粘着剤面１７を設けた弾性体１５と清掃布面１８を設けた弾性体１５とを別個の部材から構成し、これらを保持板１４に固定することにより清掃布面と粘着剤面を形成してもよい。このように、清掃布面と粘着剤面を別個に構成することにより、清掃布面と粘着剤面を個別に取り替えることができ、汚れた部位のみを取り替えることが可能になる。
【００１４】
実施例
実施例１
図２に示す構成の清掃用具において、清掃布面１８に市販の花王（株）社製クイックルほこり取り用シート（商品名）を装着し、粘着剤面１７に住友スリーエム社製ソールマット（商品名）Ｎｏ．５９００Ａの粘着テープを装着した。
【００１５】
実施例２
図２に示す構成の清掃用具において、清掃布面１８に市販の花王（株）社製クイックルほこり取り用シート（商品名）を装着し、粘着剤面１７に粘着剤を塗布した花王（株）社製クイックルほこり取り用シート（商品名）を装着した。
【００１６】
実施例３
図２に示す構成の清掃用具において、清掃布面１８に住友スリーエム社製ダスタークロスエキストラ（商品名）を装着し、粘着剤面１７に粘着剤を塗布した住友スリーエム社製ダスタークロスエキストラ（商品名）を装着した。
【００１７】
比較例１
図１に示すような構成の、市販の花王（株）社製清掃用具を用い、清掃布６として花王（株）社製クイックルほこり取り用シート（商品名）を装着した。
【００１８】
比較例２
図２に示す構成の清掃用具において、清掃布面１８と粘着剤面１７ともに、市販の花王（株）社製クイックルほこり取り用シート（商品名）を装着した。
【００１９】
クリーニング性評価
フローリング（木床）上に、ダストとして、パン粉０．３ｇ、紙片０．２ｇ、及び綿埃０．３ｇを散布し、上記の実施例及び比較例で製造した清掃用具を用い、清掃布面をフローリング上に面当接させて各ダスト上を１回通し、その後支持アームを傾斜させて粘着剤面をフローリング上に面当接させてダストを捕捉した。この粘着剤面によるダストの捕捉作業は３回行った。その後、清掃布面及び粘着剤面に付着したダストの重量を測定し、下式に示す計算式を用いてダスト吸着率を算出し、クリーニング性とした。尚、比較例１の清掃用具には粘着剤面が設けられていないため、粘着剤面によるダストの捕捉作業は行っていない。
【００２０】
【数１】
2004527269.tif 000003
【００２１】
上記のクリーニング性の評価結果を以下の表１及び図６に示す。
【表１】
2004527269.tif 000004
【００２２】
この結果から明らかなように、粘着剤面を設けていない比較例１及び２の清掃用具では、パン粉、紙片等のサイズの大きなごみに対しては、実施例１〜４の清掃用具と比較してクリーニング性が低く、十分に捕捉することができない。
【００２３】
本発明の清掃用具によれば、清掃部の清掃面を被清掃面に個別に面当接可能な粘着剤面と清掃布面から構成しており、通常は清掃布面を被清掃面に面当接させて使用し、この清掃布により捕捉できない大きなごみを捕捉しようとするときに、粘着剤面を被清掃面に面当接させることにより、このようなごみを捕捉することができる。この清掃布面と粘着剤面の切り替えは、支持アームを、軸支手段を設けた面から所定の角度以上に傾斜させることにより容易に行うことができる。
【図面の簡単な説明】
【図１】
従来の清掃用具の側面図である。
【図２】
本発明の清掃用具の１態様の、清掃布面を被清掃面に面当接させた際の側面図である。
【図３】
本発明の清掃用具の、粘着剤面を被清掃面に面当接させた際の側面図である。
【図４】
粘着剤面と清掃布面の構成を示す斜視図である。
【図５】
粘着剤面と清掃布面の他の構成を示す斜視図である。
【図６】
クリーニング性の評価結果を示すグラフである。
【図６】
2004527269.tif 000005
【国際公開パンフレット】
2004527269.tif 000006
2004527269.tif 000007
2004527269.tif 000008
2004527269.tif 000009
2004527269.tif 000010
2004527269.tif 000011
2004527269.tif 000012
2004527269.tif 000013
2004527269.tif 000014
2004527269.tif 000015
2004527269.tif 000016
2004527269.tif 000017
2004527269.tif 000018
2004527269.tif 000019
【国際調査報告】
2004527269.tif 000020
2004527269.tif 000021
2004527269.tif 000022